(57)【要約】      （修正有）【課題】商品陳列棚へのモニタの取付を工夫し、落下を防止しつつ、一層、商品の宣伝広告機能を向上させる。【解決手段】告知表示装置は、商品陳列台１に取付ける取付部３５と、該取付部３５の前側に伸縮自在に設けた伸縮アーム２５と、該伸縮アーム２５の前側に設けたモニタ１６を有するモニタ部１７とを有する。取付部３５は、陳列台１の係合孔３に係合する係合フック３７と、陳列台１の支柱２に当接する固定用螺子４０を備える。伸縮アーム２５は、取付部３５側の角筒形状の基部アーム２８にモニター１６側の角筒形状の先端アーム２７を互いに摺動のみ自在に嵌合させて構成する。【選択図】図４
0003116554.tif 000002
【実用新案登録請求の範囲】
【請求項１】
所定場所に設置された商品陳列台１の一対の支柱２の係合孔３に取付ける取付部３５と、該取付部３５の前側に伸縮自在に設けた伸縮アーム２５と、該伸縮アーム２５の前側に設けたモニタ１６を有するモニタ部１７とを有し、前記取付部３５は、上下に長い取付部本体３６に、前記係合孔３に係合する係合フック３７と、前記支柱２に当接する固定用螺子４０を設けて構成した告知表示装置。
【請求項２】
請求項１において、前記取付部本体３６は、前記基部アーム２８の上下幅より上下に長く形成し、前記基部アーム２８の上面および下面より上下に突出する取付部本体３６には支柱２に向かって出入りする固定用螺子４０を螺合させて構成した告知表示装置。
【請求項３】
請求項１または請求項２において、前記モニタ部１７は、取付部材２６により前記伸縮アーム２５に対して上下および／または左右に首振するように取付けた告知表示装置。
【請求項４】
請求項１または請求項２または請求項３において、前記伸縮アーム２５は、前記商品陳列台１の商品陳列用枠４の係合フック８の先端位置に合うように伸縮するように構成した告知表示装置。
【請求項５】
請求項１または請求項２または請求項３または請求項４において、前記伸縮アーム２５は、角筒形状の先端アーム２７と基部アーム２８を互いに摺動のみ自在に嵌合させ、先端アーム２７と基部アーム２８の何れか一方に案内溝３２を、何れか他方に案内溝３２に係合して先端アーム２７の伸縮を案内し且つ固定するツマミ３１を設けた告知表示装置。
【考案の詳細な説明】
【技術分野】
【０００１】
本考案は、商品を展示・陳列する商品陳列台に設ける告知表示装置に係るものである。
【背景技術】
【０００２】
従来、モニタを内蔵したケースに商品陳列棚に固定する取付固定具を設けた構成は公知である（特許文献１参照）。
【特許文献１】特開平７−１３４５５５号公報
【考案の開示】
【考案が解決しようとする課題】
【０００３】
前記公知例は、モニタをケースに内蔵し、このケースを取付固定具により商品陳列棚に固定するので、構造が複雑であるという課題がある。また、取付固定具は逆Ｕ型形状に形成して陳列棚の前側に上方から引っ掛ける構成のためケースに下から力が加わると、取付固定具と商品陳列棚との取付部分が外れてケースが落下する惧れがあるという課題がある。
本願は、商品陳列棚へのモニタの取付を工夫し、落下を防止しつつ、一層、商品の宣伝広告機能を向上させたものである。
【課題を解決するための手段】
【０００４】
本考案は、所定場所に設置された商品陳列台１の一対の支柱２の係合孔３に取付ける取付部３５と、該取付部３５の前側に伸縮自在に設けた伸縮アーム２５と、該伸縮アーム２５の前側に設けたモニタ１６を有するモニタ部１７とを有し、前記取付部３５は、上下に長い取付部本体３６に、前記係合孔３に係合する係合フック３７と、前記支柱２に当接する固定用螺子４０を設けて構成した告知表示装置としたものである。
本考案は、前記取付部本体３６は、前記基部アーム２８の上下幅より上下に長く形成し、前記基部アーム２８の上面および下面より上下に突出する取付部本体３６には支柱２に向かって出入りする固定用螺子４０を螺合させて構成した告知表示装置としたものである。
本考案は、前記モニタ部１７は、取付部材２６により前記伸縮アーム２５に対して上下および／または左右に首振するように取付けた告知表示装置としたものである。
本考案は、前記伸縮アーム２５は、前記商品陳列台１の商品陳列用枠４の係合フック８の先端位置に合うように伸縮するように構成した告知表示装置としたものである。
本考案は、前記伸縮アーム２５は、角筒形状の先端アーム２７と基部アーム２８を互いに摺動のみ自在に嵌合させ、先端アーム２７と基部アーム２８の何れか一方に案内溝３２を、何れか他方に案内溝３２に係合して先端アーム２７の伸縮を案内し且つ固定するツマミ３１を設けた告知表示装置としたものである。
【考案の効果】
【０００５】
請求項１の考案では、支柱２の係合孔３と係合フック３７との係合が固定用螺子４０により弛まず、強固に取付けることができる。また、直接、商品陳列台１の支柱２に取付けるので、商品の陳列・取出への支障はなく、陳列スペースの犠牲も最小限に抑制できる。
請求項２の考案では、支柱２の係合孔３と係合フック３７との係合部分の上下２か所を固定用螺子４０により押し付けるので、取付時の上下バランスを良好にして、取付強度を向上させることができる。
請求項３の考案では、購買者の目線にあった位置にモニタ部１７と商品Ｓを配置でき、宣伝広告機能を向上させることができる。
請求項４の考案では、伸縮する伸縮アーム２５により、モニタ部１７を係合フック８の先端の商品Ｓと並べて配置でき、購買者の注意を惹起できる。
請求項５の考案では、伸縮アーム２５を簡素な構成で、かつ、モニタ部１７の重量を確実に支持できる。
【実施例１】
【０００６】
本考案の実施例を図により説明すると、１は店内に設置されている商品陳列台であり、商品陳列台１は一対の支柱２に係合孔３を上下に並設し、該係合孔３に商品陳列用枠４の腕部５の係合部６を着脱自在に係合させて構成している。
【０００７】
実施例の商品陳列用枠４は、前記腕部５の先端を前枠７により連結し、前枠７には前方（手前側）に突き出るように係合フック８を左右に所定間隔おいて複数並設し、軸棒形状の係合フック８には商品（カバー）Ｓの上部の挿通孔９を挿通して陳列しているが、所謂、棚形状のものでもよい。
【０００８】
しかして、前記商品陳列用枠４には、前記商品陳列用枠４に陳列されている商品名・使用方法・効能等を表示する告知表示装置１５を取付ける。
【０００９】
告知表示装置１５は、映像情報および／または音声情報を提供するモニタ（例えば、液晶テレビ等）１６を有するモニタ部１７を有して構成する。モニタ部１７は、ケース１８内にモニタ１６を内蔵し、ケース１８の前面には静止画像用又はテレビ画像を表示する前記モニタ１６の画面部１９の大きさに合わせた窓孔部２０を形成する。モニタ１６は、商品陳列用枠４に陳列した商品の使用方法・使用時期等を映像により表示して、消費者の購買意欲を刺激するように、宣伝広告を告知する。
【００１０】
また、ケース１８にはモニタ１６とは別にスピーカー２１を設けて、モニタ１６自体の流せる音量が小さいときに使用するようにしてもよい（図１０）。
【００１１】
前記ケース１８には伸縮アーム２５を取付ける。伸縮アーム２５の構成は任意であるが、チャンネル形状または筒形状の先端アーム２７の先端を取付部材２６により前記ケース１８に取付け、モニタ１６（モニタ部１７）が上下・左右に首振するように取付ける。取付部材２６の構成は任意であり、蝶番や球形状の係合部と凹溝形状の嵌合部との嵌め合い構造でもよい。
【００１２】
先端アーム２７の基部側には基部アーム２８を互いに重なるように挿入させる。先端アーム２７には螺子孔３０を形成し、螺子孔３０にはツマミ３１を螺合させる。ツマミ３１は基部アーム２８の案内溝３２に挿通し、先端アーム２７の伸縮を案内すると共に、所望位置にて先端アーム２７と基部アーム２８とを固定する。
【００１３】
この場合、先端アーム２７および基部アーム２８は四角筒形状に形成すると、変形を抑制し、支持強度を向上させて好適である。
【００１４】
また、伸縮アーム２５の先端アーム２７および基部アーム２８内にはモニタ部１７の電源コード等のハーネス部材３３を挿通させると、ハーネス部材３３が邪魔にならずに外観を良好にし、また、ハーネス部材３３の断線等の故障を未然に防ぐこともできる。
【００１５】
しかして、基部アーム２８には取付部３５を設ける。取付部３５は、取付部本体３６を基部アーム２８の基部に固定する。取付部本体３６には、支柱２に係合孔３に係合する係合フック３７を設ける。係合フック３７は上下に係合孔３に係合する係合溝３８を並設して構成する。
【００１６】
取付部本体３６は、基部アーム２８の上下幅より長く形成し、基部アーム２８の上面および下面より上下に突出する取付部本体３６には支柱２に向かって出入りする固定用螺子４０を螺合させる。
【００１７】
図１０は、取付部３５の他の実施例であり、取付部本体３６に、係合フック３７を上下のみならず、左右側にも並設し、図５のような左右並列した係合孔３に係合させて、伸縮アーム２５が左右に振れるのを一層抑制する。
【００１８】
（実施例の作用）
店内に設置されている商品陳列台１の支柱２の係合孔３に、告知表示装置１５の取付部３５の係合フック３７を引っ掛け、固定用螺子４０の先端を支柱２に押し付けると、上下の係合溝３８および固定用螺子４０により、告知表示装置１５の取付部３５が支柱２に取付けられる。
【００１９】
次に、伸縮アーム２５のツマミ３１を弛めて、基部アーム２８に対して先端アーム２７を伸縮させ、ケース１８を商品陳列用枠４の係合フック８の先端位置に合わせ、次に、ツマミ３１を締めて伸縮アーム２５を固定させる。
【００２０】
次に、ケース１８の角度を、商品陳列台１の商品陳列用枠４に取付位置に合わせて、購買者の目線に合わせる。
【００２１】
次に、商品陳列用枠４に所望の商品を吊り下げ、モニタ部１７のモニタ１６に当該商品に関する映像情報を表示し、および、音声情報を流す。
【００２２】
したがって、消費者（購買者）は、モニタ部１７のモニタ１６の映像情報により当該商品に関する情報を知ることができ、一々店員に説明を求める煩雑さを解消して、宣伝公告効果を発揮し、購買意欲を刺激できる。
【００２３】
しかして、告知表示装置１５は、商品陳列台１の複数ある支柱２の内の何れかの支柱２に取付けることができるから、種々の形状の商品陳列用枠４や陳列棚の商品陳列台１でも所望位置に取付けて、商品陳列台１に陳列した商品Ｓの情報を告知することができ、商品陳列台１の商品Ｓの注目度の高いレイアウトにすることができる。
【００２４】
即ち、支柱２に係合孔３を有する商品陳列台１であれば、フックや棚等の商品Ｓの陳列構成を問わず、何れのものでも対応でき、汎用性を向上させる。
【００２５】
また、告知表示装置１５の取付部３５の係合フック３７を支柱２の係合孔３に係合させてから、固定用螺子４０の先端を支柱２に押し付けるので、係合フック３７と支柱２の係合孔３との係合は弛まず、強固に固定でき、モニタ部１７のモニタ１６の大きさの選択範囲を広げられる。
【００２６】
また、告知表示装置１５の取付部３５の係合フック３７を支柱２の係合孔３に係合させて取付けられるので、取付け高さは自由であり、一つの商品陳列台１に複数の告知表示装置１５を上下に並設することも可能であり、商品陳列台１に告知表示装置１５を一つまたは複数設置することできる。
【００２７】
そのため、一つの商品陳列台１に同一メーカーの多種類の商品群を陳列したり、あるいは、清涼飲料水・薬剤等の一種類の商品に対して複数社の各商品群を比較陳列することができ、商品の種類・性状や商品陳列用枠４のスペース等のあらゆる条件に応じた告知表示装置１５の使用態様の汎用性を広げられる。
【００２８】
また、上下の商品陳列用枠４の間に告知表示装置１５を設けることができ、商品Ｓの陳列スペースを犠牲にせず、商品陳列台１の限定された空間を有効利用できる。
【００２９】
しかして、商品の大きさ等の諸条件により、夫々の商品陳列台１や、一つの商品陳列台１の商品陳列用枠４であっても、夫々の係合フック８の長さが相違することがあるが、告知表示装置１５は、伸縮アーム２５を介してモニタ部１７を商品陳列台１に取付けられるから、告知表示装置１５の位置を夫々の商品陳列台１に対応した最適な場所に配置できる。
【００３０】
しかして、告知表示装置１５は、ケース１８にモニタ１６とは別個にスピーカー２１を設けているから、モニタ１６から流れる音量が小さいとき、音声情報をスピーカー２１から流すことで、補助できる。
【００３１】
また、伸縮アーム２５は、先端アーム２７および基部アーム２８を角筒形状に形成しているから、モニタ１６の電源コード等のハーネス部材３３を伸縮アーム２５内に挿通させることができ、断線等の故障の原因を除去すると共に、外観を向上させる。
【図面の簡単な説明】
【００３２】
【図１】陳列台の斜視図。
【図２】告知表示装置の斜視図。
【図３】同分解図。
【図４】同斜視図。
【図５】取付部の取付け状態斜視図。
【図６】取付部の取付け状態断面図。
【図７】伸縮アームを縮めた状態の側面図。
【図８】伸縮アームを伸ばした状態の側面図。
【図９】取付部の他の実施例の斜視図。
【図１０】モニタ部の他の実施例の斜視図。
【符号の説明】
【００３３】
１…商品陳列台、２…支柱、３…係合孔、４…商品陳列用枠、５…腕部、６…係合部、７…前枠、８…係合フック、９…挿通孔、１５…告知表示体、１６…モニタ、１７…モニタ部、１８…ケース、１９…画面部、２０…窓孔部、２１…スピーカー、２５…伸縮アーム、２６…取付部材、２７…先端アーム、２８…基部アーム、３０…螺子孔、３１…ツマミ、３２…案内溝、３３…ハーネス部材、３５…取付部、３６…取付部本体、３７…係合フック、３８…係合溝、４０…固定用螺子。
【図１】
0003116554.tif 000003
【図２】
0003116554.tif 000004
【図３】
0003116554.tif 000005
【図４】
0003116554.tif 000006
【図５】
0003116554.tif 000007
【図６】
0003116554.tif 000008
【図７】
0003116554.tif 000009
【図８】
0003116554.tif 000010
【図９】
0003116554.tif 000011
【図１０】
0003116554.tif 000012